【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】遊技場に備えられる遊技機に対応して設けられ、
該遊技機での遊技に使用可能な遊技用有価価値の大きさを特定可能な情報が記録された遊技用記録媒体の記録情報を少なくとも読み取る記録媒体処理手段と、
該記録媒体処理手段にて読み取られた記録情報から特定される遊技用有価価値の大きさの範囲内の所定の遊技用有価価値の大きさを前記遊技に使用させるための使用処理を行う使用処理手段と、
前記遊技用記録媒体の記録情報から特定される遊技用有価価値の大きさが残存するときに、遊技者による排出操作に応じて、該遊技用記録媒体を排出する排出処理を行う排出処理手段と、
前記使用処理によって前記遊技用記録媒体の記録情報から特定される遊技用有価価値の大きさが無価値となっても該遊技用記録媒体を留保する留保手段と、
貨幣を受け付けて、該受け付けた貨幣の識別を行う貨幣識別手段と、
該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理を行う価値加算手段と、を備える遊技用装置であって、
前記遊技場の所定の閉店処理に応じて、留保している遊技用記録媒体の記録情報から特定される遊技用有価価値の大きさが残存しているか否かを確認する確認手段を備え、
該確認手段にて遊技用有価価値の大きさが残存していると確認された場合に、前記留保している遊技用記録媒体を排出する排出処理を前記排出処理手段により行うことを特徴とする遊技用装置。
【請求項２】遊技場に備えられる遊技機に対応して設けられ、
該遊技機での遊技に使用可能な遊技用有価価値の大きさを特定可能な情報が記録された遊技用記録媒体の記録情報を少なくとも読み取る記録媒体処理手段と、
該記録媒体処理手段にて読み取られた記録情報から特定される遊技用有価価値の大きさの範囲内の所定の遊技用有価価値の大きさを前記遊技に使用させるための使用処理を行う使用処理手段と、
前記遊技用記録媒体の記録情報から特定される遊技用有価価値の大きさが残存するときに、遊技者による排出操作に応じて、該遊技用記録媒体を排出する排出処理を行う排出処理手段と、
前記使用処理によって前記遊技用記録媒体の記録情報から特定される遊技用有価価値の大きさが無価値となっても該遊技用記録媒体を留保する留保手段と、
貨幣を受け付けて、該受け付けた貨幣の識別を行う貨幣識別手段と、
該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理を行う価値加算手段と、を備える遊技用装置と、
該遊技用装置と通信可能に接続され、前記遊技用記録媒体の記録情報から特定される遊技用有価価値の大きさを該遊技用記録媒体毎に管理すると共に、前記記録媒体処理手段における前記遊技用記録媒体の受付状況を管理する管理装置と、
から構成され、
前記管理装置は、前記遊技場の所定の閉店処理に応じて前記記録情報から特定される遊技用有価価値の大きさが残存している遊技用記録媒体を留保している遊技用装置を特定する特定手段を備え、
該特定手段により特定された遊技用装置に対して留保している遊技用記録媒体の排出要求を送信し、
前記遊技用装置は、該送信された排出要求に基づいて前記留保している遊技用記録媒体を排出する排出処理を前記排出処理手段により行うことを特徴とする遊技用システム。
【請求項３】請求項１に記載した遊技用装置であって、
前記閉店処理に応じて前記留保している遊技用記録媒体の記録情報から特定される遊技用有価価値の大きさが無価値であると前記確認手段にて確認された場合に、該留保している遊技用記録媒体を回収するための回収処理を行う記録媒体回収手段を備えることを特徴とする遊技用装置。
【請求項４】請求項２に記載した遊技用システムであって、
前記管理装置は、前記閉店処理に応じて前記記録情報から特定される遊技用有価価値の大きさが無価値である遊技用記録媒体を留保している遊技用装置を前記特定手段により特定し、該特定した遊技用装置に対して該留保している遊技用記録媒体を回収するための回収要求を送信し、
前記遊技用装置は、該送信された回収要求に基づいて前記留保している遊技用記録媒体を回収するための回収処理を行う記録媒体回収手段を備えることを特徴とする遊技用システム。
【請求項５】請求項３又は４に記載した遊技用装置又は遊技用システムであって、
前記記録媒体回収手段にて前記回収処理を行うか、又は該回収処理を行わずに前記留保している遊技用記録媒体の留保を継続するかを選択可能な選択手段を備えることを特徴とする遊技用装置又は遊技用システム。
【請求項６】請求項１〜５のいずれか１つに記載した遊技用装置又は遊技用システムであって、
前記遊技用記録媒体が排出された旨を報知する報知手段を備えることを特徴とする遊技用装置又は遊技用システム。
【請求項７】請求項１〜６のいずれか１つに記載した遊技用装置又は遊技用システムであって、
前記遊技用記録媒体は、遊技者を特定可能な情報が記録された遊技者特定記録媒体と、前記遊技者を特定不能な遊技者不特定記録媒体と、を含み、
前記排出処理手段は、前記遊技者特定記録媒体を留保している場合に、前記閉店処理に応じて該留保している遊技者特定記録媒体を排出する排出処理を行うことを特徴とする遊技用装置又は遊技用システム。
【手続補正２】
【補正対象書類名】明細書
【補正対象項目名】０００７
【補正方法】変更
【補正の内容】
【０００７】
まず請求項１に係る発明は、遊技場に備えられる遊技機に対応して設けられ、該遊技機での遊技に使用可能な遊技用有価価値の大きさを特定可能な情報が記録された遊技用記録媒体の記録情報を少なくとも読み取る記録媒体処理手段と、該記録媒体処理手段にて読み取られた記録情報から特定される遊技用有価価値の大きさの範囲内の所定の遊技用有価価値の大きさを前記遊技に使用させるための使用処理を行う使用処理手段と、前記遊技用記録媒体の記録情報から特定される遊技用有価価値の大きさが残存するときに、遊技者による排出操作に応じて、該遊技用記録媒体を排出する排出処理を行う排出処理手段と、前記使用処理によって前記遊技用記録媒体の記録情報から特定される遊技用有価価値の大きさが無価値となっても該遊技用記録媒体を留保する留保手段と、貨幣を受け付けて、該受け付けた貨幣の識別を行う貨幣識別手段と、該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理を行う価値加算手段と、を備える遊技用装置であって、前記遊技場の所定の閉店処理に応じて、留保している遊技用記録媒体の記録情報から特定される遊技用有価価値の大きさが残存しているか否かを確認する確認手段を備え、該確認手段にて遊技用有価価値の大きさが残存していると確認された場合に、前記留保している遊技用記録媒体を排出する排出処理を前記排出処理手段により行うことを特徴とする遊技用装置である。これによれば、遊技用装置に留保されている遊技用記録媒体の中から遊技用有価価値の大きさが残存している遊技用記録媒体が排出されるので、該遊技用記録媒体のみを容易に回収できる。
【手続補正３】
【補正対象書類名】明細書
【補正対象項目名】０００８
【補正方法】変更
【補正の内容】
【０００８】
また請求項２に係る発明は、遊技場に備えられる遊技機に対応して設けられ、該遊技機での遊技に使用可能な遊技用有価価値の大きさを特定可能な情報が記録された遊技用記録媒体の記録情報を少なくとも読み取る記録媒体処理手段と、該記録媒体処理手段にて読み取られた記録情報から特定される遊技用有価価値の大きさの範囲内の所定の遊技用有価価値の大きさを前記遊技に使用させるための使用処理を行う使用処理手段と、前記遊技用記録媒体の記録情報から特定される遊技用有価価値の大きさが残存するときに、遊技者による排出操作に応じて、該遊技用記録媒体を排出する排出処理を行う排出処理手段と、前記使用処理によって前記遊技用記録媒体の記録情報から特定される遊技用有価価値の大きさが無価値となっても該遊技用記録媒体を留保する留保手段と、貨幣を受け付けて、該受け付けた貨幣の識別を行う貨幣識別手段と、該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理を行う価値加算手段と、を備える遊技用装置と、該遊技用装置と通信可能に接続され、前記遊技用記録媒体の記録情報から特定される遊技用有価価値の大きさを該遊技用記録媒体毎に管理すると共に、前記記録媒体処理手段における前記遊技用記録媒体の受付状況を管理する管理装置と、から構成され、前記管理装置は、前記遊技場の所定の閉店処理に応じて前記記録情報から特定される遊技用有価価値の大きさが残存している遊技用記録媒体を留保している遊技用装置を特定する特定手段を備え、該特定手段により特定された遊技用装置に対して留保している遊技用記録媒体の排出要求を送信し、前記遊技用装置は、該送信された排出要求に基づいて前記留保している遊技用記録媒体を排出する排出処理を前記排出処理手段により行うことを特徴とする遊技用システムである。これによれば、遊技用装置に留保されている遊技用記録媒体の中から遊技用有価価値の大きさが残存している遊技用記録媒体が排出されるので、該遊技用記録媒体のみを容易に回収できる。
【手続補正４】
【補正対象書類名】明細書
【補正対象項目名】００１０
【補正方法】変更
【補正の内容】
【００１０】
また請求項４に係る発明は、請求項２に記載した遊技用システムであって、請求項２に記載した遊技用システムであって、前記管理装置は、前記閉店処理に応じて前記記録情報から特定される遊技用有価価値の大きさが無価値である遊技用記録媒体を留保している遊技用装置を前記特定手段により特定し、該特定した遊技用装置に対して該留保している遊技用記録媒体を回収するための回収要求を送信し、前記遊技用装置は、該送信された回収要求に基づいて前記留保している遊技用記録媒体を回収するための回収処理を行う記録媒体回収手段を備えることを特徴とする遊技用システムである。
【手続補正５】
【補正対象書類名】明細書
【補正対象項目名】００１２
【補正方法】変更
【補正の内容】
【００１２】
また請求項６に係る発明は、請求項１〜５のいずれか１つに記載した遊技用装置又は遊技用システムであって、前記遊技用記録媒体が排出された旨を報知する報知手段を備えることを特徴とする遊技用装置又は遊技用システムである。
【手続補正６】
【補正対象書類名】明細書
【補正対象項目名】００１３
【補正方法】変更
【補正の内容】
【００１３】
さらに請求項７に係る発明は、請求項１〜６のいずれか１つに記載した遊技用装置又は遊技用システムであって、前記遊技用記録媒体は、遊技者を特定可能な情報が記録された遊技者特定記録媒体と、前記遊技者を特定不能な遊技者不特定記録媒体と、を含み、前記排出処理手段は、前記遊技者特定記録媒体を留保している場合に、前記閉店処理に応じて該留保している遊技者特定記録媒体を排出する排出処理を行うことを特徴とする遊技用装置又は遊技用システムである。
【手続補正７】
【補正対象書類名】明細書
【補正対象項目名】０１２５
【補正方法】変更
【補正の内容】
【０１２５】
まず請求項１に係る発明は、遊技場に備えられる遊技機（パチンコ機５）に対応して設けられ、該遊技機での遊技に使用可能な遊技用有価価値の大きさ（プリペイド度数）を特定可能な情報（カードＩＤ及び残度数）が記録された遊技用記録媒体（ビジターカード２又は会員カード３）の記録情報を少なくとも読み取る記録媒体処理手段（カードＲ／Ｗ１４）と、該記録媒体処理手段にて読み取られた記録情報から特定される遊技用有価価値の大きさの範囲内の所定の遊技用有価価値の大きさを前記遊技に使用させるための使用処理（玉貸処理）を行う使用処理手段（制御部１２）と、前記遊技用記録媒体の記録情報から特定される遊技用有価価値の大きさが残存するときに、遊技者による排出操作に応じて、該遊技用記録媒体を排出する排出処理を行う排出処理手段（制御部１２及びカードＲ／Ｗ１４の搬送機構）と、前記使用処理によって前記遊技用記録媒体の記録情報から特定される遊技用有価価値の大きさが無価値となっても該遊技用記録媒体を留保する留保手段（制御部１２）と、貨幣（紙幣４）を受け付けて、該受け付けた貨幣の識別を行う貨幣識別手段（貨幣識別機１７）と、該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理（入金処理）を行う価値加算手段（制御部１２）と、を備える遊技用装置（カードユニット１０）であって、前記遊技場の所定の閉店処理に応じて、留保している遊技用記録媒体の記録情報から特定される遊技用有価価値の大きさが残存しているか否かを確認する確認手段（制御部１２）を備え、該確認手段にて遊技用有価価値の大きさが残存していると確認された場合に、前記留保している遊技用記録媒体を排出する排出処理を前記排出処理手段により行うことを特徴とする遊技用装置である。
【手続補正８】
【補正対象書類名】明細書
【補正対象項目名】０１２６
【補正方法】変更
【補正の内容】
【０１２６】
また請求項２に係る発明は、遊技場に備えられる遊技機（パチンコ機５）に対応して設けられ、該遊技機での遊技に使用可能な遊技用有価価値の大きさ（プリペイド度数）を特定可能な情報（カードＩＤ及び残度数）が記録された遊技用記録媒体（ビジターカード２又は会員カード３）の記録情報を少なくとも読み取る記録媒体処理手段（カードＲ／Ｗ１４）と、該記録媒体処理手段にて読み取られた記録情報から特定される遊技用有価価値の大きさの範囲内の所定の遊技用有価価値の大きさを前記遊技に使用させるための使用処理（玉貸処理）を行う使用処理手段（制御部１２）と、前記遊技用記録媒体の記録情報から特定される遊技用有価価値の大きさが残存するときに、遊技者による排出操作に応じて、該遊技用記録媒体を排出する排出処理を行う排出処理手段（制御部１２及びカードＲ／Ｗ１４の搬送機構）と、前記使用処理によって前記遊技用記録媒体の記録情報から特定される遊技用有価価値の大きさが無価値となっても該遊技用記録媒体を留保する留保手段（制御部１２）と、貨幣（紙幣４）を受け付けて、該受け付けた貨幣の識別を行う貨幣識別手段（貨幣識別機１７）と、該貨幣識別手段にて識別された貨幣金額の範囲内の所定額に相当する遊技用有価価値の大きさを前記留保手段にて留保している遊技用記録媒体の記録情報から特定される遊技用有価価値の大きさに対して加算するための処理（入金処理）を行う価値加算手段（制御部１２）と、を備える遊技用装置（カードユニット１０）と、該遊技用装置と通信可能に接続され、前記遊技用記録媒体の記録情報から特定される遊技用有価価値の大きさを該遊技用記録媒体毎に管理すると共に、前記記録媒体処理手段における前記遊技用記録媒体の受付状況を管理する管理装置（３０）と、から構成され、前記管理装置は、前記遊技場の所定の閉店処理に応じて前記記録情報から特定される遊技用有価価値の大きさが残存している遊技用記録媒体を留保している遊技用装置を特定する特定手段（制御部３２）を備え、該特定手段により特定された遊技用装置に対して留保している遊技用記録媒体の排出要求を送信し、前記遊技用装置は、該送信された排出要求に基づいて前記留保している遊技用記録媒体を排出する排出処理を前記排出処理手段により行うことを特徴とする遊技用システム（１）である。
【手続補正９】
【補正対象書類名】明細書
【補正対象項目名】０１２８
【補正方法】変更
【補正の内容】
【０１２８】
また請求項４に係る発明は、請求項２に記載した遊技用システム（１）であって、前記管理装置（３０）は、前記閉店処理に応じて前記記録情報から特定される遊技用有価価値の大きさ（プリペイド度数）が無価値である遊技用記録媒体（ビジターカード２）を留保している遊技用装置（カードユニット１０）を前記特定手段（制御部３２）により特定し、該特定した遊技用装置に対して該留保している遊技用記録媒体を回収するための回収要求を送信し、前記遊技用装置は、該送信された回収要求に基づいて前記留保している遊技用記録媒体（残高無しカード）を回収するための回収処理を行う記録媒体回収手段（制御部１２及びカードＲ／Ｗ１４の落下機構）を備えることを特徴とする遊技用システムである。
【手続補正１０】
【補正対象書類名】明細書
【補正対象項目名】０１３０
【補正方法】変更
【補正の内容】
【０１３０】
また請求項６に係る発明は、請求項１〜５のいずれか１つに記載した遊技用装置（カードユニット１０）又は遊技用システム（１）であって、前記遊技用記録媒体（ビジターカード２又は会員カード３）が排出された旨を報知する報知手段（カード利用可ランプ１５）を備えることを特徴とする遊技用装置又は遊技用システムである。
【手続補正１１】
【補正対象書類名】明細書
【補正対象項目名】０１３１
【補正方法】変更
【補正の内容】
【０１３１】
さらに請求項７に係る発明は、請求項１〜６のいずれか１つに記載した遊技用装置（カードユニット１０）又は遊技用システム（１）であって、前記遊技用記録媒体（カード）は、遊技者を特定可能な情報（会員カードＩＤ）が記録された遊技者特定記録媒体（会員カード３）と、前記遊技者を特定不能な遊技者不特定記録媒体（ビジターカード２）と、を含み、前記排出処理手段（制御部１２及びカードＲ／Ｗ１４の搬送機構）は、前記遊技者特定記録媒体を留保している場合に、前記閉店処理に応じて該留保している遊技者特定記録媒体を排出する排出処理を行うことを特徴とする遊技用装置又は遊技用システムである。
【手続補正１２】
【補正対象書類名】明細書
【補正対象項目名】０１５８
【補正方法】変更
【補正の内容】
【０１５８】
また請求項６に係る遊技用装置又は遊技用システムによれば、報知によって遊技用記録媒体が排出された遊技用装置が容易に分かり、すべての遊技用装置について遊技用記録媒体が排出されたか否かを確認する必要がないので、該遊技用記録媒体を効率良く回収できる。